(57)【要約】【課題】複数の印刷要求を受け付けた場合においても処理を円滑に進めることのできる画像形成装置、画像形成システムおよび印刷制御プログラムを提供する。【解決手段】制御部は処理要求実行部での処理要求の実行の制御を行い、具体的には、ユーザＡの識別情報に対応する処理要求を処理要求管理装置から取得した際に、処理要求実行部がユーザＢの識別情報に対応する処理要求を実行している場合、ユーザＢの識別情報に対応する処理要求の実行が完了するまでユーザＡの識別情報に対応する処理要求の実行を保留するという制御を行う。【選択図】図２
2008102603.tif 000002
【特許請求の範囲】
【請求項１】
印刷要求および該印刷要求の識別情報を対応付けて記憶した印刷要求記憶装置と通信を行う通信手段と、
前記識別情報を受け付ける識別情報受付手段と、
前記識別情報受付手段で受け付けた識別情報に対応する印刷要求を前記印刷要求記憶装置から取得する印刷要求取得手段と、
前記印刷要求取得手段で取得した印刷要求を実行する印刷実行手段と、
前記印刷実行手段で前記印刷要求を実行している際に、受け付けた他の識別情報に対応する印刷要求の実行の制御を行う制御手段と
を具備することを特徴とする画像形成装置。
【請求項２】
前記印刷実行手段で前記識別情報に対応する印刷要求を実行している際に、前記識別情報受付手段で該識別情報とは異なる他の識別情報を受け付けた場合、
前記印刷要求取得手段は、
前記他の識別情報に対応する印刷要求を前記印刷要求記憶装置から取得し、
前記制御手段は、
前記識別情報に対応する印刷要求の実行が完了するまで前記他の識別情報に対応する印刷要求の実行を保留する
ことを特徴とする請求項１記載の画像形成装置。
【請求項３】
前記制御手段は、
前記印刷要求取得手段で前記識別情報に対応する印刷要求を取得した後、前記識別情報受付手段で該識別情報を受け付けるまで取得した印刷要求の実行を保留する
ことを特徴とする請求項１記載の画像形成装置。
【請求項４】
印刷要求および該印刷要求と対応付けられた識別情報を記憶する記憶手段と、
外部装置から受け付けた前記識別情報に対応する前記記憶手段に記憶した前記印刷要求を送信する送信手段と
を具備する印刷要求送信装置と、
前記識別情報を受け付ける識別情報受付手段と、
前記識別情報受付手段で受け付けた識別情報に対応する印刷要求を前記印刷要求送信装置から取得する印刷要求取得手段と、
前記印刷要求取得手段で取得した印刷要求を実行する印刷実行手段と、
前記印刷実行手段で前記印刷要求を実行している際に、受け付けた他の識別情報に対応する印刷要求の実行の制御を行う制御手段と
を具備する画像形成装置と
を有することを特徴とする画像形成システム。
【請求項５】
前記印刷実行手段で前記識別情報に対応する印刷要求を実行している際に、前記識別情報受付手段で該識別情報とは異なる他の識別情報を受け付けた場合、
前記印刷要求取得手段は、
前記他の識別情報に対応する印刷要求を前記印刷要求送信装置から取得し、
前記制御手段は、
前記識別情報に対応する印刷要求の実行が完了するまで前記他の識別情報に対応する印刷要求の実行を保留する
ことを特徴とする請求項４記載の画像形成システム。
【請求項６】
前記制御手段は、
前記印刷要求取得手段で前記識別情報に対応する印刷要求を取得した後、前記識別情報受付手段で該識別情報を受け付けるまで該印刷要求の実行を保留する
ことを特徴とする請求項４記載の画像形成システム。
【請求項７】
通信部を備えた画像形成装置に内蔵されたコンピュータに、
識別情報を受け付ける識別情報受付機能と、
前記通信部によって、印刷要求および該印刷要求の識別情報を対応付けて記憶した印刷要求記憶装置から、前記識別情報受付機能で受け付けた前記識別情報に対応する印刷要求を取得する印刷要求取得機能と、
前記印刷要求取得機能で取得した印刷要求を実行する印刷実行機能と、
前記印刷実行機能で前記印刷要求を実行している際に、受け付けた他の識別情報に対応する印刷要求の実行の制御を行う制御機能と
を実現させることを特徴とする印刷制御プログラム。
【請求項８】
前記制御機能は、
前記印刷実行機能で前記識別情報に対応する印刷要求を実行している際に、該識別情報とは異なる他の識別情報を受け付けた場合、該識別情報に対応する印刷要求の実行が完了するまで該他の識別情報に対応する印刷要求の実行を保留する
ことを特徴とする請求項７記載の印刷制御プログラム。
【請求項９】
前記制御機能は、
前記印刷要求取得機能で前記識別情報に対応する印刷要求を取得した後、該識別情報を受け付けるまで取得した印刷要求の実行を保留する
ことを特徴とする請求項７記載の印刷制御プログラム。
【発明の詳細な説明】
【技術分野】
【０００１】
本発明は、画像形成装置、画像形成システム、印刷制御プログラムに関する。
【背景技術】
【０００２】
近年、プリンタ、複写機、ファクシミリ装置等の画像形成装置に容量が大きいハードディスクを備え、このハードディスクの記憶領域の一部をユーザに割り当て、ユーザ毎に画像データを格納することができるようになり、ユーザはユーザの識別を行うだけで、自分が格納した画像データを自由に処理することができるようになった。
【０００３】
例えば、ユーザが機器の使用許可がなされている者であり、ユーザが行おうとしている操作が許可されている操作であるときのみ、即ちユーザの認証を行うことで、機器におけるユーザ使用に対するきめ細かい運用を実施することができ、ユーザが行える操作を限定することができる情報処理装置、複合機器、情報処理システム、情報処理方法、及び記憶媒体がある（例えば、特許文献１参照。）。
【特許文献１】特開２０００−３５７０６４号公報
【発明の開示】
【発明が解決しようとする課題】
【０００４】
そこで、本発明は、複数の印刷要求を受け付けた場合においても処理を円滑に進めることのできる画像形成装置、画像形成システムおよび印刷制御プログラムを提供することを目的とする。
【課題を解決するための手段】
【０００５】
上記目的を達成するため、請求項１の発明は、印刷要求および該印刷要求の識別情報を対応付けて記憶した印刷要求記憶装置と通信を行う通信手段と、前記識別情報を受け付ける識別情報受付手段と、前記識別情報受付手段で受け付けた識別情報に対応する印刷要求を前記印刷要求記憶装置から取得する印刷要求取得手段と、前記印刷要求取得手段で取得した印刷要求を実行する印刷実行手段と、前記印刷実行手段で前記印刷要求を実行している際に、受け付けた他の識別情報に対応する印刷要求の実行の制御を行う制御手段とを具備することを特徴とする。
【０００６】
また、請求項２の発明は、請求項１の発明において、前記印刷実行手段で前記識別情報に対応する印刷要求を実行している際に、前記識別情報受付手段で該識別情報とは異なる他の識別情報を受け付けた場合、前記印刷要求取得手段は、前記他の識別情報に対応する印刷要求を前記印刷要求記憶装置から取得し、前記制御手段は、前記識別情報に対応する印刷要求の実行が完了するまで前記他の識別情報に対応する印刷要求の実行を保留することを特徴とする。
【０００７】
また、請求項３の発明は、請求項１の発明において、前記制御手段は、前記印刷要求取得手段で前記識別情報に対応する印刷要求を取得した後、前記識別情報受付手段で該識別情報を受け付けるまで取得した印刷要求の実行を保留することを特徴とする。
【０００８】
また、請求項４の発明は、印刷要求および該印刷要求と対応付けられた識別情報を記憶する記憶手段と、外部装置から受け付けた前記識別情報に対応する前記記憶手段に記憶した前記印刷要求を送信する送信手段とを具備する印刷要求送信装置と、前記識別情報を受け付ける識別情報受付手段と、前記識別情報受付手段で受け付けた識別情報に対応する印刷要求を前記印刷要求送信装置から取得する印刷要求取得手段と、前記印刷要求取得手段で取得した印刷要求を実行する印刷実行手段と、前記印刷実行手段で前記印刷要求を実行している際に、受け付けた他の識別情報に対応する印刷要求の実行の制御を行う制御手段とを具備する画像形成装置とを有することを特徴とする。
【０００９】
また、請求項５の発明は、請求項４の発明において、前記印刷実行手段で前記識別情報に対応する印刷要求を実行している際に、前記識別情報受付手段で該識別情報とは異なる他の識別情報を受け付けた場合、前記印刷要求取得手段は、前記他の識別情報に対応する印刷要求を前記印刷要求送信装置から取得し、前記制御手段は、前記識別情報に対応する印刷要求の実行が完了するまで前記他の識別情報に対応する印刷要求の実行を保留することを特徴とする。
【００１０】
また、請求項６の発明は、請求項４の発明において、前記制御手段は、前記印刷要求取得手段で前記識別情報に対応する印刷要求を取得した後、前記識別情報受付手段で該識別情報を受け付けるまで該印刷要求の実行を保留することを特徴とする。
【００１１】
また、請求項７の発明は、通信部を備えた画像形成装置に内蔵されたコンピュータに、識別情報を受け付ける識別情報受付機能と、前記通信部によって、印刷要求および該印刷要求の識別情報を対応付けて記憶した印刷要求記憶装置から、前記識別情報受付機能で受け付けた前記識別情報に対応する印刷要求を取得する印刷要求取得機能と、前記印刷要求取得機能で取得した印刷要求を実行する印刷実行機能と、前記印刷実行機能で前記印刷要求を実行している際に、受け付けた他の識別情報に対応する印刷要求の実行の制御を行う制御機能とを実現させることを特徴とする。
【００１２】
また、請求項８の発明は、請求項７の発明において、前記制御機能は、前記印刷実行機能で前記識別情報に対応する印刷要求を実行している際に、該識別情報とは異なる他の識別情報を受け付けた場合、該識別情報に対応する印刷要求の実行が完了するまで該他の識別情報に対応する印刷要求の実行を保留することを特徴とする。
【００１３】
また、請求項９の発明は、請求項７の発明において、前記制御機能は、前記印刷要求取得機能で前記識別情報に対応する印刷要求を取得した後、該識別情報を受け付けるまで取得した印刷要求の実行を保留することを特徴とする。
【発明の効果】
【００１４】
請求項１、４および７に記載の発明は、本構成を有しない場合に比較して、複数の印刷要求を受け付けた場合においても行われる処理を円滑に進めることが可能となる。
【００１５】
また、請求項２、５および８に記載の発明は、本構成を有しない場合に比較して、印刷要求の保留が解除された場合には、その印刷要求をすみやかに実行できる。
【００１６】
また、請求項３、６および９に記載の発明は、本構成を有しない場合に比較して、利用者が画像形成装置を操作できる範囲にいるときにその利用者の印刷要求の実行を開始することができるので、印刷要求を実行した結果を他者に見られたり、持ち出されることをある程度防止できる。
【発明を実施するための最良の形態】
【００１７】
以下、本発明に係る画像形成装置、画像形成システム、印刷制御プログラムの一実施の形態について、添付図面を参照して詳細に説明する。
【実施例１】
【００１８】
図１は、実施例１の概要を説明するための図である。
【００１９】
図１に示すように、画像形成装置１と、少なくとも１つの処理要求管理装置２、少なくとも１つの情報処理装置３が、ネットワーク４を介して接続されて構成されている。なお、本実施例における画像形成装置１とは画像を用紙等の媒体に形成する装置を示し、例えば、プリンタ、複写機、ファクシミリ装置等が挙げられる。
【００２０】
情報処理装置３は、パーソナルコンピュータ、携帯端末等のユーザが直接利用するものである。情報処理装置３は、ユーザが入力した画像形成装置１に対するアプリケーションで作成したファイル、画像等のデータの印刷要求（以後、処理要求と称する）および各自ユーザに関する情報（以後、識別情報と称する）を受け付ける処理を行い、受け付けた処理要求および識別情報をネットワーク４を介して処理要求管理装置２に送信する処理を行う。なお、本実施例における処理要求とは画像形成装置１でプリントされる画像データとプリント時の設定データ（例えば、プリント枚数、両面プリント等）で構成されるものであり、一般的には印刷ジョブと呼ばれている。
【００２１】
処理要求管理装置２は、情報処理装置３から受信した処理要求と識別情報とを対応させて保管する処理を行い、画像形成装置１から任意の識別情報に対応する処理要求の取得の要求を受け付けた際に、当該識別情報に対応する処理要求を画像形成装置１に対して送信する処理を行う。
【００２２】
次に、画像形成装置１の機能的な構成について説明する。
【００２３】
図２は、画像形成装置１の機能的な構成の一例を示すブロック図である。
【００２４】
図２に示すように、画像形成装置１は、入力部５、表示部６、通信部７１、識別情報受付部８、処理要求取得部９、処理要求実行部１０、制御部１１、リスト取得部１２、処理要求選出受付部１３を具備して構成される。
【００２５】
入力部５は、ユーザが画像形成装置１に対する指示を直接入力するものである。一般的には、マウス、ハードキー等のハードウェアで構成されるか、入力部５と表示部６の機能を兼ね備えたタッチパネル方式を採用したソフトウェアで構成される。なお、本実施例においてユーザは入力部５により識別情報を入力する場合、近年では多くの情報を格納することが可能なＩＣチップを埋め込んだＩＣカードが普及し、ユーザ個人が識別情報をＩＣカードに格納して携帯する状況が増えていることから、入力部５をＩＣカードに埋め込まれたＩＣチップに格納された識別情報を読み出すＩＣリーダーで構成することも可能である。
【００２６】
表示部６は、ユーザに対して提示する各種情報を表示するディスプレイ等である。なお、上述したように、入力部５と表示部６の機能を兼ね備えたタッチパネル方式を採用することも可能である。
【００２７】
通信部７１は、処理要求管理装置２、情報処理装置（不図示）、他の装置（不図示）との間で各種データの送受信を行う。なお、画像形成装置１−処理要求管理装置２間の接続形態は有線、無線を問わない。通信部７１は、例えば、ネットワークインタフェースカード（ＮＩＣ）で構成される。
【００２８】
識別情報受付部８は、入力部５で入力された識別情報を受け付ける処理を行う。
【００２９】
処理要求取得部９は、識別情報受付部８で受け付けた識別情報に対応する処理要求を処理要求管理装置２から取得する処理を行う。
【００３０】
処理要求実行部１０は、処理要求取得部９で取得した処理要求（例えば、プリント処理、複写処理、ファクシミリ通信における画像処理等）を実行する。
【００３１】
制御部１１は、処理要求実行部１０での処理要求の実行を制御する。具体的には、ユーザＡの識別情報に対応する処理要求を処理要求管理装置２から取得した際に、処理要求実行部１０がユーザＢの識別情報に対応する処理要求を実行している場合、ユーザＢの識別情報に対応する処理要求の実行が完了するまでユーザＡの識別情報に対応する処理要求の実行を保留するという制御を行う。また、ユーザＡの識別情報に対応する処理要求を処理要求管理装置２から取得した際に、再度ユーザＡの識別情報を受け付けるまでユーザＡの識別情報に対応する処理要求の実行を保留する動作処理を適用することも可能である。また、識別情報に対応する処理要求を処理要求管理装置２から取得した際に、処理要求実行部１０が他の種類の処理要求を実行している場合（例えば、プリント処理の処理要求を取得した際に複写処理またはファクシミリ通信における画像処理を実行している等）、他の種類の処理要求の実行が完了するまで取得した処理要求の実行を保留する動作処理を適用することも可能である。
【００３２】
リスト取得部１２は、識別情報受付部８で受け付けた識別情報に対応する処理要求の一覧（以後、処理要求リストと称する）を処理要求管理装置２から取得する。ここで、取得した処理要求リストは表示部６に表示される。なお、処理要求管理装置２が処理要求リストを作成していない場合は、処理要求管理装置２から識別情報に対応する処理要求を通知してもらい、リスト取得部１２が処理要求リストを作成する動作処理を適用することも可能である。
【００３３】
処理要求受付部１３は、入力部５で入力された実行する処理要求の選出を受け付ける処理を行う。具体的には、表示部６に処理要求リストが表示されると、ユーザは画像形成装置１で実行する処理要求を処理要求リストから選出し、このユーザによって選出された処理要求を受け付けることである。ここで、受け付けた処理要求の選出は処理要求取得部９に送られ、処理要求取得部９は当該処理要求を処理要求管理装置２から取得する。
【００３４】
なお、上述した識別情報受付部８、処理要求取得部９、処理要求実行部１０、制御部１１、リスト取得部１２、処理要求選出受付部１３を機能として具備するプログラム（本発明に係る印刷制御プログラムに相当）を汎用の画像形成装置１に組み込んだ構成を適用することも可能であり、その際には、画像形成装置１の記憶部（例えば、ハードディスク等）に印刷制御プログラムが記憶され、画像形成装置の演算部（例えば、ＣＰＵ等）が記憶部に記憶されている印刷制御プログラムを実行することになる。
【００３５】
次に、画像形成装置１、処理要求管理装置２および情報処理装置３の動作について説明する。
【００３６】
図３〜５は、少なくとも１つの情報処理装置、１つの処理要求管理装置および１つの画像形成装置の動作の流れの一例を示すシーケンス図である。なお、ユーザＡが情報処理装置Ａ２０１から処理要求を入力し、ユーザＢが情報処理装置Ｂ２０２から処理要求を入力し、ユーザＡおよびユーザＢが同一の画像形成装置１で各々の処理要求を実行することを一例とする。
【００３７】
図３は、情報処理装置が受け付けた処理要求が処理要求管理装置に保管されるまでの動作の流れの一例を示すシーケンス図である。
【００３８】
情報処理装置Ａは処理要求管理装置に対してユーザＡの処理要求および識別情報を送信する（Ｓ３０１）。
【００３９】
処理要求管理装置はユーザＡの処理要求および識別情報を受信すると、受信したユーザＡの処理要求および識別情報を保管する（Ｓ３０２）。
【００４０】
また、情報処理装置Ｂは処理要求管理装置に対してユーザＢの処理要求および識別情報を送信する（Ｓ３０３）。
【００４１】
処理要求管理装置はユーザＢの処理要求および識別情報を受信すると、受信したユーザＢの処理要求および識別情報を保管する（Ｓ３０４）。
【００４２】
図４は、処理要求を実行する場合における画像形成装置および処理要求管理装置の動作の流れの一例を示すシーケンス図である。なお、画像形成装置が処理要求リストを取得しない場合の動作の流れの一例を示す。
【００４３】
ユーザＡが画像形成装置の入力部でユーザＡの識別情報を入力すると、識別情報受付部がユーザＡの識別情報を受け付け（Ｓ４０１）、処理要求取得部がユーザＡの処理要求を処理要求管理装置に対して要求する（Ｓ４０２）。
【００４４】
処理要求管理装置は画像形成装置からのユーザＡの処理要求の要求を受け付けると、ユーザＡの処理要求を画像形成装置に対して送信する（Ｓ４０３）。
【００４５】
画像形成装置の処理要求取得部は処理要求管理装置からのユーザＡの処理要求を受信すると、処理要求実行部がユーザＡの処理要求を実行する（Ｓ４０４）。そして、処理要求実行部がユーザＡの処理要求を実行している際に、ユーザＢが入力部でユーザＢの識別情報を入力すると、識別情報受付部がユーザＢの識別情報を受け付け（Ｓ４０５）、処理要求取得部がユーザＢの処理要求を処理要求管理装置に対して要求する（Ｓ４０６）。
【００４６】
処理要求管理装置は画像形成装置からのユーザＢの処理要求の要求を受け付けると、ユーザＢの処理要求を画像形成装置に対して送信する（Ｓ４０７）。
【００４７】
画像形成装置の処理要求取得部は処理要求管理装置からのユーザＢの処理要求を受信すると、制御部がユーザＢの処理要求の実行を保留する（Ｓ４０８）。そして、処理要求実行部がユーザＡの処理要求の実行を完了する（Ｓ４０９）。そして、ユーザＢが入力部でユーザＢの識別情報を入力すると、識別情報受付部がユーザＢの識別情報を受け付け（Ｓ４１０）、処理要求実行部がユーザＢの処理要求を実行する（Ｓ４１１）。
【００４８】
なお、ユーザＡの処理要求の実行を完了した後、ユーザＢの識別情報を受け付けるまで処理要求を保持する動作処理、または一定時間までにユーザＢの識別情報を受け付けなければ処理要求を削除する動作処理を適用することも可能である。
【００４９】
また、ユーザＡの処理要求の実行を完了した際に、ユーザＢの識別情報を受け付けなくても、ユーザＢの処理要求の実行を開始する動作処理を適用することも可能である。
【００５０】
図５は、処理要求を実行する場合における画像形成装置および処理要求管理装置の動作の流れの一例を示すシーケンス図である。なお、画像形成装置が処理要求リストを取得する場合の動作の流れの一例を示す。
【００５１】
ユーザＡが画像形成装置の入力部でユーザＡの識別情報を入力すると、識別情報受付部がユーザＡの識別情報を受け付け（Ｓ５０１）、リスト取得部がユーザＡの処理要求リストを処理要求管理装置に対して要求する（Ｓ５０２）。
【００５２】
処理要求管理装置は画像形成装置からのユーザＡの処理要求リストの要求を受け付けると、ユーザＡの処理要求リストを画像形成装置に対して送信する（Ｓ５０３）。
【００５３】
画像形成装置のリスト取得部は処理要求管理装置からのユーザＡの処理要求リストを受信すると、表示部がユーザＡの処理要求リストを表示する（Ｓ５０４）。そして、ユーザＡが実行する処理要求を処理要求リストから入力部で選出すると、処理要求選出受付部がユーザＡが選出した要求処理を受け付け（Ｓ５０５）、処理要求取得部がユーザＡが選出した処理要求を処理要求管理装置に対して要求する（Ｓ５０６）。
【００５４】
処理要求管理装置は画像形成装置からのユーザＡが選出した処理要求の要求を受け付けると、ユーザＡが選出した処理要求を画像形成装置に対して送信する（Ｓ５０７）。
【００５５】
画像形成装置の処理要求取得部は処理要求管理装置からのユーザＡが選出した処理要求を受信すると、処理要求実行部がユーザＡが選出した処理要求を実行する（Ｓ５０８）。そして、処理要求実行部がユーザＡが選出した処理要求を実行している際に、ユーザＢが入力部でユーザＢの識別情報を入力すると、識別情報受付部がユーザＢの識別情報を受け付け（Ｓ５０９）、リスト取得部がユーザＢの処理要求リストを処理要求管理装置に対して要求する（Ｓ５１０）。
【００５６】
処理要求管理装置は画像形成装置からのユーザＢの処理要求リストの要求を受け付けると、ユーザＢの処理要求リストを画像形成装置に対して送信する（Ｓ５１１）。
【００５７】
画像形成装置のリスト取得部は処理要求管理装置からのユーザＢの処理要求リストを受信すると、表示部がユーザＢの処理要求リストを表示する（Ｓ５１２）。そして、ユーザＢが実行する処理要求を処理要求リストから入力部で選出すると、処理要求選出受付部がユーザＢが選出した要求処理を受け付け（Ｓ５１３）、処理要求取得部がユーザＢが選出した処理要求を処理要求管理装置に対して要求する（Ｓ５１４）。
【００５８】
処理要求管理装置は画像形成装置からのユーザＢが選出した処理要求の要求を受け付けると、ユーザＢが選出した処理要求を画像形成装置に対して送信する（Ｓ５１５）。
【００５９】
画像形成装置の処理要求取得部は処理要求管理装置からのユーザＢが選出した処理要求を受信すると、制御部がユーザＢの処理要求の実行を保留する（Ｓ５１６）。そして、処理要求実行部がユーザＡが選出した処理要求の実行を完了する（Ｓ５１７）。そして、ユーザＢが入力部でユーザＢの識別情報を入力すると、識別情報受付部がユーザＢの識別情報を受け付け（Ｓ５１８）、処理要求実行部がユーザＢが選出した処理要求を実行する（Ｓ５１９）。
【００６０】
なお、ユーザＡが選出した処理要求の実行を完了した後、ユーザＢの識別情報を受け付けるまで処理要求を保持する動作処理、または一定時間までにユーザＢの識別情報を受け付けなければ処理要求を削除する動作処理を適用することも可能である。
【００６１】
なお、ユーザＡが選出した処理要求の実行を完了した際に、ユーザＢの識別情報を受け付けなくても、ユーザＢが選出した処理要求の実行を開始する動作処理を適用することも可能である。
【００６２】
図６〜８は、少なくとも１つの情報処理装置、少なくとも１つの処理要求管理装置および１つの画像形成装置の動作の流れの一例を示すシーケンス図である。なお、ユーザＡが情報処理装置Ａから処理要求を入力し、処理要求管理装置ＡがユーザＡの処理要求を保管し、ユーザＢが情報処理装置Ｂから処理要求を入力し、処理要求管理装置ＢがユーザＢの処理要求を保管し、ユーザＡおよびユーザＢが同一の画像形成装置で各々の処理要求を実行することを一例とする。
【００６３】
図６は、情報処理装置が受け付けた処理要求が処理要求管理装置Ａおよび処理要求管理装置Ｂに保管されるまでの動作の流れの一例を示すシーケンス図である。
【００６４】
情報処理装置Ａは処理要求管理装置Ａに対してユーザＡの処理要求および識別情報を送信する（Ｓ６０１）。
【００６５】
処理要求管理装置ＡはユーザＡの処理要求および識別情報を受信すると、受信したユーザＡの処理要求および識別情報を保管する（Ｓ６０２）。
【００６６】
また、情報処理装置Ｂは処理要求管理装置Ｂに対してユーザＢの処理要求および識別情報を送信する（Ｓ６０３）。
【００６７】
処理要求管理装置ＢはユーザＢの処理要求および識別情報を受信すると、受信したユーザＢの処理要求および識別情報を保管する（Ｓ６０４）。
【００６８】
図７は、処理要求を実行する場合における画像形成装置、処理要求管理装置Ａおよび処理要求管理装置Ｂの動作の流れを示すシーケンス図である。なお、画像形成装置が処理要求リストを取得しない場合の動作の流れの一例を示す。
【００６９】
ユーザＡが画像形成装置Ａの入力部でユーザＡの識別情報を入力すると、識別情報受付部がユーザＡの識別情報を受け付け（Ｓ７０１）、処理要求取得部がユーザＡの処理要求を処理要求管理装置Ａに対して要求する（Ｓ７０２）。
【００７０】
処理要求管理装置Ａは画像形成装置からのユーザＡの処理要求の要求を受け付けると、ユーザＡの処理要求を画像形成装置に対して送信する（Ｓ７０３）。
【００７１】
画像形成装置の処理要求取得部は処理要求管理装置ＡからのユーザＡの処理要求を受信すると、処理要求実行部がユーザＡの処理要求を実行する（Ｓ７０４）。そして、処理要求実行部がユーザＡの処理要求を実行している際に、ユーザＢが入力部でユーザＢの識別情報を入力すると、識別情報受付部がユーザＢの識別情報を受け付け（Ｓ７０５）、処理要求取得部がユーザＢの処理要求を処理要求管理装置Ｂに対して要求する（Ｓ７０６）。
【００７２】
処理要求管理装置Ｂは画像形成装置からのユーザＢの処理要求の要求を受け付けると、ユーザＢの処理要求を画像形成装置に対して送信する（Ｓ７０７）。
【００７３】
画像形成装置の処理要求取得部は処理要求管理装置ＢからのユーザＢの処理要求を受信すると、制御部がユーザＢの処理要求の実行を保留する（Ｓ７０８）。そして、処理要求実行部がユーザＡの処理要求の実行を完了する（Ｓ７０９）。そして、ユーザＢが入力部でユーザＢの識別情報を入力すると、識別情報受付部がユーザＢの識別情報を受け付け（Ｓ７１０）、処理要求実行部がユーザＢの処理要求を実行する（Ｓ７１１）。
【００７４】
なお、ユーザＡの処理要求の実行を完了した後、ユーザＢの識別情報を受け付けるまで処理要求を保持する動作処理、または一定時間までにユーザＢの識別情報を受け付けなければ処理要求を削除する動作処理を適用することも可能である。
【００７５】
また、ユーザＡの処理要求の実行を完了した際に、ユーザＢの識別情報を受け付けなくても、ユーザＢの処理要求の実行を開始する動作処理を適用することも可能である。
【００７６】
図８は、処理要求を実行する場合における画像形成装置、処理要求管理装置Ａおよび処理要求管理装置Ｂの動作の流れの一例を示すシーケンス図である。なお、画像形成装置が処理要求リストを取得する場合の動作の流れの一例を示す。
【００７７】
ユーザＡが画像形成装置の入力部でユーザＡの識別情報を入力すると、識別情報受付部がユーザＡの識別情報を受け付け（Ｓ８０１）、リスト取得部がユーザＡの処理要求リストを処理要求管理装置Ａに対して要求する（Ｓ８０２）。
【００７８】
処理要求管理装置Ａは画像形成装置からのユーザＡの処理要求リストの要求を受け付けると、ユーザＡの処理要求リストを画像形成装置に対して送信する（Ｓ８０３）。
【００７９】
画像形成装置のリスト取得部は処理要求管理装置ＡからのユーザＡの処理要求リストを受信すると、表示部がユーザＡの処理要求リストを表示する（Ｓ８０４）。そして、ユーザＡが実行する処理要求を処理要求リストから入力部で選出すると、処理要求選出受付部がユーザＡが選出した要求処理を受け付け（Ｓ８０５）、処理要求取得部がユーザＡが選出した処理要求を処理要求管理装置Ａに対して要求する（Ｓ８０６）。
【００８０】
処理要求管理装置Ａは画像形成装置からのユーザＡが選出した処理要求の要求を受け付けると、ユーザＡが選出した処理要求を画像形成装置に対して送信する（Ｓ８０７）。
【００８１】
画像形成装置の処理要求取得部は処理要求管理装置ＡからのユーザＡが選出した処理要求を受信すると、処理要求実行部がユーザＡが選出した処理要求を実行する（Ｓ８０８）。そして、処理要求実行部がユーザＡが選出した処理要求を実行している際に、ユーザＢが入力部でユーザＢの識別情報を入力すると、識別情報受付部がユーザＢの識別情報を受け付け（Ｓ８０９）、リスト取得部がユーザＢの処理要求リストを処理要求管理装置Ｂに対して要求する（Ｓ８１０）。
【００８２】
処理要求管理装置Ｂは画像形成装置からのユーザＢの処理要求リストの要求を受け付けると、ユーザＢの処理要求リストを画像形成装置に対して送信する（Ｓ８１１）。
【００８３】
画像形成装置のリスト取得部は処理要求管理装置ＢからのユーザＢの処理要求リストを受信すると、表示部がユーザＢの処理要求リストを表示する（Ｓ８１２）。そして、ユーザＢが実行する処理要求を処理要求リストから入力部で選出すると、処理要求選出受付部がユーザＢが選出した要求処理を受け付け（Ｓ８１３）、処理要求取得部がユーザＢが選出した処理要求を処理要求管理装置Ｂに対して要求する（Ｓ８１４）。
【００８４】
処理要求管理装置Ｂは画像形成装置からのユーザＢが選出した処理要求の要求を受け付けると、ユーザＢが選出した処理要求を画像形成装置に対して送信する（Ｓ８１５）。
【００８５】
画像形成装置の処理要求取得部は処理要求管理装置ＢからのユーザＢが選出した処理要求を受信すると、制御部がユーザＢの処理要求の実行を保留する（Ｓ８１６）。そして、処理要求実行部がユーザＡが選出した処理要求の実行を完了する（Ｓ８１７）。そして、ユーザＢが入力部でユーザＢの識別情報を入力すると、識別情報受付部がユーザＢの識別情報を受け付け（Ｓ８１８）、処理要求実行部がユーザＢが選出した処理要求を実行する（Ｓ８１９）。
【００８６】
なお、ユーザＡが選出した処理要求の実行を完了した後、ユーザＢの識別情報を受け付けるまで処理要求を保持する動作処理、または一定時間までにユーザＢの識別情報を受け付けなければ処理要求を削除する動作処理を適用することも可能である。
【００８７】
また、ユーザＡが選出した処理要求の実行を完了した際に、ユーザＢの識別情報を受け付けなくても、ユーザＢが選出した処理要求の実行を開始する動作処理を適用することも可能である。
【実施例２】
【００８８】
図９は、実施例２の概要を説明するための図である。
【００８９】
図９に示すように、処理要求管理装置２と、少なくとも１つの画像形成装置１、少なくとも１つの情報処理装置３が、ネットワーク４を介して接続されて構成されている。なお、本実施例における画像形成装置１とは画像を用紙等の媒体に形成する装置を示し、例えば、プリンタ、複写機、ファクシミリ装置等が挙げられる。
【００９０】
情報処理装置３は、パーソナルコンピュータ、携帯端末等のユーザが直接利用するものである。情報処理装置３は、ユーザが入力した画像形成装置１に対するアプリケーションで作成したファイル、画像等のデータのプリントの要求（以後、処理要求と称する）および各自ユーザに関する情報（以後、識別情報と称する）を受け付ける処理を行い、受け付けた処理要求および識別情報をネットワークを介して処理要求管理装置２に送信する処理を行う。なお、本実施例における処理要求とは画像形成装置１でプリントされる画像データとプリント時の設定データ（例えば、プリント枚数、両面プリント等）で構成されるものであり、一般的には印刷ジョブとも呼ばれている。
【００９１】
処理要求管理装置２は、情報処理装置３から受信した処理要求と識別情報とを対応させて保管する処理を行い、画像形成装置１から任意の識別情報に対応する処理要求の取得の要求を受け付けた際に、当該識別情報に対応する処理要求を画像形成装置１に対して送信する処理を行う。
【００９２】
次に、処理要求管理装置２の機能的な構成について説明する。
【００９３】
図１０は、処理要求管理装置２の機能的な構成の一例を示すブロック図である。
【００９４】
図１０に示すように、処理要求管理装置２は、通信部７２、処理要求保管部１４、識別情報受信部１５、状態確認部１６、処理要求送信部１７、処理要求送信制御部１８、リスト送信部１９、依頼受信部２０を具備して構成される。
【００９５】
通信部７２は、情報処理装置３、画像形成装置１、他の装置（不図示）との間で各種データの送受信を行う。なお、情報処理装置３−処理要求管理装置２間または画像形成装置１−処理要求管理装置２間の接続形態は有線、無線を問わない。通信部７２は、例えば、ネットワークインタフェースカード（ＮＩＣ）で構成される。
【００９６】
処理要求保管部１４は、情報処理装置３から受信した処理要求と識別情報とを対応させて保管する。
【００９７】
識別情報受信部１５は、画像形成装置１から受信した識別情報を受信する処理を行う。
【００９８】
状態確認部１６は、識別情報受信部１５で識別情報を受信した際に、当該識別情報を送信した画像形成装置１の状態（即ち、処理要求を実行中であるか否か）を確認する処理を行う。
【００９９】
処理要求送信部１７は、処理要求を画像形成装置１に送信する処理を行う。
【０１００】
処理要求送信制御部１８は、処理要求送信部１７での処理要求の実行を制御する。具体的には、画像形成装置１からユーザＢの識別情報を受信した際に、状態確認部１６で画像形成装置１においてユーザＡの処理要求が実行中であることを確認した場合は画像形成装置１がユーザＡの処理要求の実行を完了するまで画像形成装置１に対するユーザＢの処理要求の送信を保留するという制御を行う。
【０１０１】
リスト送信部１９は、識別情報受信部１５で受信した識別情報に対応する処理要求の一覧（以後、処理要求リストと称する）を画像形成装置１から送信する。なお、処理要求管理装置２が処理要求リストを作成していない場合は、画像形成装置１に対して識別情報に対応する処理要求を通知し、画像形成装置１が処理要求リストを作成する動作処理を適用することも可能である。
【０１０２】
依頼受信部２０は、画像形成装置１からの実行する処理要求の送信依頼を受信する処理を行う。具体的には、画像形成装置１に処理要求リストが送信されると、ユーザは画像形成装置１で実行する処理要求を処理要求リストから選出し、このユーザによって選出された処理要求の送信依頼が画像形成装置１から送信されてくる。ここで、受信した処理要求の送信依頼は処理要求送信制御部１８に送られ、処理要求送信制御部１８は状態確認部１６で画像形成装置１が処理要求の実行中でなければ、送信依頼された処理要求を画像形成装置１に対して送信する。
【０１０３】
なお、上述した処理要求保管部１４、識別情報受信部１５、状態確認部１６、処理要求送信部１７、処理要求送信制御部１８、リスト送信部１９、依頼受信部２０として機能させるためのプログラムを汎用のサーバコンピュータにインストールした構成を適用することも可能であり、その際には、サーバコンピュータの記憶部（例えば、ハードディスク等）にプログラムが記憶され、サーバコンピュータの演算部（例えば、ＣＰＵ等）が記憶部に記憶されているプログラムを実行することになる。また、上述したプログラムは、各種メモリや光ディスク等の記録媒体に記憶して提供することが可能であり、通信回線を介して配信することも可能である。
【０１０４】
次に、画像形成装置１、処理要求管理装置２および情報処理装置３の動作について説明する。
【０１０５】
図１１〜１３は、少なくとも１つの情報処理装置、１つの処理要求管理装置および１つの画像形成装置の動作の流れの一例を示すシーケンス図である。なお、ユーザＡが情報処理装置Ａから処理要求を入力し、ユーザＢが情報処理装置Ｂから処理要求を入力し、ユーザＡおよびユーザＢが同一の画像形成装置で各々の処理要求を実行することを一例とする。
【０１０６】
図１１は、情報処理装置が受け付けた処理要求が処理要求管理装置に保管されるまでの動作の流れの一例を示すシーケンス図である。
【０１０７】
情報処理装置Ａは処理要求管理装置に対してユーザＡの処理要求および識別情報を送信する（Ｓ１１０１）。
【０１０８】
処理要求管理装置はユーザＡの処理要求および識別情報を受信すると、受信したユーザＡの処理要求および識別情報を保管する（Ｓ１１０２）。
【０１０９】
また、情報処理装置Ｂは処理要求管理装置に対してユーザＢの処理要求および識別情報を送信する（Ｓ１１０３）。
【０１１０】
処理要求管理装置はユーザＢの処理要求および識別情報を受信すると、受信したユーザＢの処理要求および識別情報を保管する（Ｓ１１０４）。
【０１１１】
図１２は、処理要求を実行する場合における画像形成装置および処理要求管理装置の動作の流れの一例を示すシーケンス図である。なお、処理要求管理装置が処理要求リストを送信しない場合の動作の流れの一例を示す。
【０１１２】
ユーザＡが画像形成装置にユーザＡの識別情報を入力すると、画像形成装置がユーザＡの識別情報を受け付け（Ｓ１２０１）、画像形成装置がユーザＡの処理要求を処理要求管理装置に対して要求する（Ｓ１２０２）。
【０１１３】
処理要求管理装置の識別情報受信部は画像形成装置からのユーザＡの処理要求の要求を受信すると、状態確認部が画像形成装置が処理要求を実行していないことを確認し（Ｓ１２０３）、処理要求送信部がユーザＡの処理要求を画像形成装置に対して送信する（Ｓ１２０４）。
【０１１４】
画像形成装置は処理要求管理装置からのユーザＡの処理要求を受信すると、ユーザＡの処理要求を実行する（Ｓ１２０５）。そして、画像形成装置がユーザＡの処理要求を実行している際に、ユーザＢが画像形成装置にユーザＢの識別情報を入力すると、画像形成装置がユーザＢの識別情報を受け付け（Ｓ１２０６）、画像形成装置がユーザＢの処理要求を処理要求管理装置に対して要求する（Ｓ１２０７）。
【０１１５】
処理要求管理装置の識別情報受信部は画像形成装置からのユーザＡの処理要求の要求を受信すると、状態確認部が画像形成装置が処理要求を実行していることを確認し（Ｓ１２０８）、処理要求送信制御部が画像形成装置に対するユーザＢの処理要求の送信を保留する（Ｓ１２０９）。
【０１１６】
そして、画像形成装置がユーザＡの処理要求の実行を完了する（Ｓ１２１０）。そして、ユーザＢが画像形成装置にユーザＢの識別情報を入力すると、画像形成装置がユーザＢの識別情報を受け付け（Ｓ１２１１）、画像形成装置がユーザＢの処理要求を処理要求管理装置に対して要求する（Ｓ１２１２）。
【０１１７】
処理要求管理装置の識別情報受信部は画像形成装置からのユーザＢの処理要求の要求を受け付けると、状態確認部が画像形成装置が処理要求を実行していないことを確認し（Ｓ１２１３）、処理要求送信部がユーザＢの処理要求を画像形成装置に対して送信する（Ｓ１２１４）。
【０１１８】
画像形成装置は処理要求管理装置からのユーザＢの処理要求を受信すると、ユーザＢの処理要求を実行する（Ｓ１２１５）。
【０１１９】
なお、画像形成装置がユーザＡの処理要求の実行を完了した後、画像形成装置からユーザＢの識別情報を受信するまで処理要求の送信の保留を保持する動作処理、または一定時間までにユーザＢの識別情報を受信しなければ処理要求の送信の保留を削除する動作処理を適用することも可能である。
【０１２０】
図１３は、処理要求を実行する場合における画像形成装置および処理要求管理装置の動作の流れの一例を示すシーケンス図である。なお、画像形成装置が処理要求リストを取得する場合の動作の流れの一例を示す。
【０１２１】
ユーザＡが画像形成装置にユーザＡの識別情報を入力すると、画像形成装置がユーザＡの識別情報を受け付け（Ｓ１３０１）、画像形成装置がユーザＡの処理要求リストを処理要求管理装置に対して要求する（Ｓ１３０２）。
【０１２２】
処理要求管理装置の識別情報受信部は画像形成装置からのユーザＡの処理要求リストの要求を受け付けると、リスト送信部はユーザＡの処理要求リストを画像形成装置に対して送信する（Ｓ１３０３）。
【０１２３】
画像形成装置は処理要求管理装置からのユーザＡの処理要求リストを受信すると、ユーザＡの処理要求リストを表示する（Ｓ１３０４）。そして、ユーザＡが実行する処理要求を処理要求リストから選出すると、画像形成装置がユーザＡが選出した要求処理を受け付け（Ｓ１３０５）、画像形成装置がユーザＡが選出した処理要求を処理要求管理装置に対して要求する（Ｓ１３０６）。
【０１２４】
処理要求管理装置の依頼受付部は画像形成装置からのユーザＡが選出した処理要求の要求を受け付けると、状態確認部が画像形成装置が処理要求を実行していないことを確認し（Ｓ１３０７）、処理要求送信部がユーザＡの処理要求を画像形成装置に対して送信する（Ｓ１３０８）。
【０１２５】
画像形成装置は処理要求管理装置からのユーザＡの処理要求を受信すると、ユーザＡの処理要求を実行する（Ｓ１３０９）。そして、画像形成装置がユーザＡの処理要求を実行している際に、ユーザＢが画像形成装置にユーザＢの識別情報を入力すると、画像形成装置がユーザＢの識別情報を受け付け（Ｓ１３１０）、画像形成装置がユーザＢの処理要求リストを処理要求管理装置に対して要求する（Ｓ１３１１）。
【０１２６】
処理要求管理装置の識別情報受信部は画像形成装置からのユーザＢの処理要求リストの要求を受け付けると、リスト送信部はユーザＢの処理要求リストを画像形成装置に対して送信する（Ｓ１３１２）。
【０１２７】
画像形成装置は処理要求管理装置からのユーザＢの処理要求リストを受信すると、ユーザＢの処理要求リストを表示する（Ｓ１３１３）。そして、ユーザＢが実行する処理要求を処理要求リストから選出すると、画像形成装置がユーザＢが選出した要求処理を受け付け（Ｓ１３１４）、画像形成装置がユーザＢが選出した処理要求を処理要求管理装置に対して要求する（Ｓ１３１５）。
【０１２８】
処理要求管理装置の依頼受付部は画像形成装置からのユーザＢが選出した処理要求の要求を受け付けると、状態確認部が画像形成装置が処理要求を実行していることを確認し（Ｓ１３１６）、処理要求送信制御部が画像形成装置に対するユーザＢの処理要求の送信を保留する（Ｓ１３１７）。
【０１２９】
そして、画像形成装置がユーザＡの処理要求の実行を完了する（Ｓ１３１８）。そして、ユーザＢが画像形成装置にユーザＢの識別情報を入力すると、画像形成装置がユーザＢの識別情報を受け付け（Ｓ１３１９）、画像形成装置がユーザＢの処理要求を処理要求管理装置に対して要求する（Ｓ１３２０）。
【０１３０】
処理要求管理装置の識別情報受信部は画像形成装置からのユーザＢの処理要求の要求を受け付けると、状態確認部が画像形成装置が処理要求を実行していないことを確認し（Ｓ１３２１）、処理要求送信部がユーザＢの処理要求を画像形成装置に対して送信する（Ｓ１３２２）。
【０１３１】
画像形成装置は処理要求管理装置からのユーザＢの処理要求を受信すると、ユーザＢの処理要求を実行する（Ｓ１３２３）。
【０１３２】
なお、画像形成装置がユーザＡの処理要求の実行を完了した後、画像形成装置からユーザＢの識別情報を受信するまで処理要求の送信の保留を保持する動作処理、または一定時間までにユーザＢの識別情報を受信しなければ処理要求の送信の保留を削除する動作処理を適用することも可能である。
【０１３３】
図１４〜１７は、少なくとも１つの情報処理装置、少なくとも１つの画像形成装置および１つの処理要求管理装置およびの動作の流れの一例を示すシーケンス図である。なお、ユーザＡが情報処理装置Ａから処理要求を入力し、処理要求管理装置がユーザＡの処理要求を保管し、ユーザＢが情報処理装置Ｂから処理要求を入力し、処理要求管理装置がユーザＢの処理要求を保管し、ユーザＣが情報処理装置Ｃから処理要求を入力し、処理要求管理装置がユーザＣの処理要求を保管し、ユーザＡ、ユーザＢおよびユーザＣが画像形成装置Ａまたは画像形成装置Ｂで各々の処理要求を実行することを一例とする。
【０１３４】
図１４は、情報処理装置が受け付けた処理要求が処理要求管理装置Ａおよび処理要求管理装置Ｂに保管されるまでの動作の流れの一例を示すシーケンス図である。
【０１３５】
情報処理装置Ａは処理要求管理装置に対してユーザＡの処理要求および識別情報を送信する（Ｓ１４０１）。
【０１３６】
処理要求管理装置はユーザＡの処理要求および識別情報を受信すると、受信したユーザＡの処理要求および識別情報を保管する（Ｓ１４０２）。
【０１３７】
また、情報処理装置Ｂは処理要求管理装置に対してユーザＢの処理要求および識別情報を送信する（Ｓ１４０３）。
【０１３８】
処理要求管理装置はユーザＢの処理要求および識別情報を受信すると、受信したユーザＢの処理要求および識別情報を保管する（Ｓ１４０４）。
【０１３９】
情報処理装置Ｃは処理要求管理装置に対してユーザＣの処理要求および識別情報を送信する（Ｓ１４０５）。
【０１４０】
処理要求管理装置はユーザＣの処理要求および識別情報を受信すると、受信したユーザＣの処理要求および識別情報を保管する（Ｓ１４０６）。
【０１４１】
図１５は、処理要求を実行する場合における処理要求管理装置、画像形成装置Ａおよび画像形成装置Ｂの動作の流れの一例を示すシーケンス図である。なお、画像形成装置Ａおよび画像形成装置Ｂが処理要求リストを取得しない場合の動作の流れの一例を示す。
【０１４２】
ユーザＡが画像形成装置ＡにユーザＡの識別情報を入力すると、画像形成装置ＡがユーザＡの識別情報を受け付け（Ｓ１５０１）、画像形成装置ＡがユーザＡの処理要求を処理要求管理装置に対して要求する（Ｓ１５０２）。
【０１４３】
処理要求管理装置の識別情報受信部は画像形成装置ＡからのユーザＡの処理要求の要求を受信すると、状態確認部が画像形成装置Ａが処理要求を実行していないことを確認し（Ｓ１５０３）、処理要求送信部がユーザＡの処理要求を画像形成装置Ａに対して送信する（Ｓ１５０４）。
【０１４４】
画像形成装置Ａは処理要求管理装置からのユーザＡの処理要求を受信すると、ユーザＡの処理要求を実行する（Ｓ１５０５）。
【０１４５】
そして、ユーザＢが画像形成装置ＢにユーザＢの識別情報を入力すると、画像形成装置ＢがユーザＢの識別情報を受け付け（Ｓ１５０６）、画像形成装置ＢがユーザＢの処理要求を処理要求管理装置に対して要求する（Ｓ１５０７）。
【０１４６】
処理要求管理装置の識別情報受信部は画像形成装置ＢからのユーザＢの処理要求の要求を受信すると、状態確認部が画像形成装置Ｂが処理要求を実行していないことを確認し（Ｓ１５０８）、処理要求送信部がユーザＢの処理要求を画像形成装置Ｂに対して送信する（Ｓ１５０９）。
【０１４７】
画像形成装置Ｂは処理要求管理装置からのユーザＢの処理要求を受信すると、ユーザＢの処理要求を実行する（Ｓ１５１０）。
【０１４８】
そして、画像形成装置ＡがユーザＡの処理要求を実行している際に、ユーザＣが画像形成装置ＡにユーザＣの識別情報を入力すると、画像形成装置ＡがユーザＣの識別情報を受け付け（Ｓ１５１１）、画像形成装置ＡがユーザＣの処理要求を処理要求管理装置に対して要求する（Ｓ１５１２）。
【０１４９】
処理要求管理装置の識別情報受信部は画像形成装置ＡからのユーザＣの処理要求の要求を受信すると、状態確認部が画像形成装置Ａが処理要求を実行していることを確認し（Ｓ１５１３）、処理要求送信制御部が画像形成装置Ａに対するユーザＣの処理要求の送信を保留する（Ｓ１５１４）。
【０１５０】
そして、画像形成装置ＢがユーザＢの処理要求を実行している際に、ユーザＣが画像形成装置ＢにユーザＣの識別情報を入力すると、画像形成装置ＢがユーザＣの識別情報を受け付け（Ｓ１５１５）、画像形成装置ＢがユーザＣの処理要求を処理要求管理装置に対して要求する（Ｓ１５１６）。
【０１５１】
処理要求管理装置の識別情報受信部は画像形成装置ＢからのユーザＣの処理要求の要求を受信すると、状態確認部が画像形成装置Ｂが処理要求を実行していることを確認し（Ｓ１５１７）、処理要求送信制御部が画像形成装置Ｂに対するユーザＣの処理要求の送信を保留する（Ｓ１５１８）。
【０１５２】
そして、画像形成装置ＡがユーザＡの処理要求の実行を完了する（Ｓ１５１９）。そして、ユーザＣが画像形成装置ＡにユーザＣの識別情報を入力すると、画像形成装置ＡがユーザＣの識別情報を受け付け（Ｓ１５２０）、画像形成装置ＡがユーザＣの処理要求を処理要求管理装置に対して要求する（Ｓ１５２１）。
【０１５３】
処理要求管理装置の識別情報受信部は画像形成装置ＡからのユーザＣの処理要求の要求を受け付けると、状態確認部が画像形成装置Ａが処理要求を実行していないことを確認し（Ｓ１５２２）、処理要求送信部がユーザＣの処理要求を画像形成装置Ａに対して送信する（Ｓ１５２３）。
【０１５４】
画像形成装置Ａは処理要求管理装置からのユーザＣの処理要求を受信すると、ユーザＣの処理要求を実行する（Ｓ１５２４）。
【０１５５】
なお、画像形成装置Ｂに対するユーザＣの処理要求の送信の保留は、画像形成装置ＢからユーザＣの識別情報を受信するまで処理要求の送信の保留を保持する動作処理、または一定時間までにユーザＣの識別情報を受信しなければ処理要求の送信の保留を削除する動作処理を適用することも可能である。
【０１５６】
図１６および１７は、処理要求を実行する場合における処理要求管理装置、画像形成装置Ａおよび画像形成装置Ｂの動作の流れの一例を示すシーケンス図である。なお、画像形成装置Ａおよび画像形成装置Ｂが処理要求リストを取得する場合の動作の流れの一例を示す。
【０１５７】
ユーザＡが画像形成装置ＡにユーザＡの識別情報を入力すると、画像形成装置ＡがユーザＡの識別情報を受け付け（Ｓ１６０１）、画像形成装置ＡがユーザＡの処理要求リストを処理要求管理装置に対して要求する（Ｓ１６０２）。
【０１５８】
処理要求管理装置の識別情報受信部は画像形成装置ＡからのユーザＡの処理要求リストの要求を受け付けると、リスト送信部はユーザＡの処理要求リストを画像形成装置Ａに対して送信する（Ｓ１６０３）。
【０１５９】
画像形成装置Ａは処理要求管理装置からのユーザＡの処理要求リストを受信すると、ユーザＡの処理要求リストを表示する（Ｓ１６０４）。そして、ユーザＡが実行する処理要求を処理要求リストから選出すると、画像形成装置ＡがユーザＡが選出した要求処理を受け付け（Ｓ１６０５）、画像形成装置ＡがユーザＡが選出した処理要求を処理要求管理装置に対して要求する（Ｓ１６０６）。
【０１６０】
処理要求管理装置の依頼受付部は画像形成装置ＡからのユーザＡが選出した処理要求の要求を受け付けると、状態確認部が画像形成装置Ａが処理要求を実行していないことを確認し（Ｓ１６０７）、処理要求送信部がユーザＡの処理要求を画像形成装置Ａに対して送信する（Ｓ１６０８）。
【０１６１】
画像形成装置Ａは処理要求管理装置からのユーザＡの処理要求を受信すると、ユーザＡの処理要求を実行する（Ｓ１６０９）。
【０１６２】
ユーザＢが画像形成装置ＢにユーザＢの識別情報を入力すると、画像形成装置ＢがユーザＢの識別情報を受け付け（Ｓ１６１０）、画像形成装置ＢがユーザＢの処理要求リストを処理要求管理装置に対して要求する（Ｓ１６１１）。
【０１６３】
処理要求管理装置の識別情報受信部は画像形成装置ＢからのユーザＢの処理要求リストの要求を受け付けると、リスト送信部はユーザＢの処理要求リストを画像形成装置Ｂに対して送信する（Ｓ１６１２）。
【０１６４】
画像形成装置Ｂは処理要求管理装置からのユーザＢの処理要求リストを受信すると、ユーザＢの処理要求リストを表示する（Ｓ１６１３）。そして、ユーザＢが実行する処理要求を処理要求リストから選出すると、画像形成装置ＢがユーザＢが選出した要求処理を受け付け（Ｓ１６１４）、画像形成装置ＢがユーザＢが選出した処理要求を処理要求管理装置に対して要求する（Ｓ１６１５）。
【０１６５】
処理要求管理装置の依頼受付部は画像形成装置ＢからのユーザＢが選出した処理要求の要求を受け付けると、状態確認部が画像形成装置Ｂが処理要求を実行していないことを確認し（Ｓ１６１６）、処理要求送信部がユーザＢの処理要求を画像形成装置Ｂに対して送信する（Ｓ１６１７）。
【０１６６】
画像形成装置Ｂは処理要求管理装置からのユーザＢの処理要求を受信すると、ユーザＢの処理要求を実行する（Ｓ１６１８）。
【０１６７】
図１７に示すシーケンス図に続く。
【０１６８】
そして、画像形成装置ＡがユーザＡの処理要求を実行している際に、ユーザＣが画像形成装置ＡにユーザＣの識別情報を入力すると、画像形成装置ＡがユーザＣの識別情報を受け付け（Ｓ１６１９）、画像形成装置ＡがユーザＣの処理要求リストを処理要求管理装置に対して要求する（Ｓ１６２０）。
【０１６９】
処理要求管理装置の識別情報受信部は画像形成装置ＡからのユーザＣの処理要求リストの要求を受け付けると、リスト送信部はユーザＣの処理要求リストを画像形成装置Ａに対して送信する（Ｓ１６２１）。
【０１７０】
画像形成装置Ａは処理要求管理装置からのユーザＣの処理要求リストを受信すると、ユーザＣの処理要求リストを表示する（Ｓ１６２２）。そして、ユーザＣが実行する処理要求を処理要求リストから選出すると、画像形成装置ＡがユーザＣが選出した要求処理を受け付け（Ｓ１６２３）、画像形成装置ＡがユーザＣが選出した処理要求を処理要求管理装置に対して要求する（Ｓ１６２４）。
【０１７１】
処理要求管理装置の依頼受付部は画像形成装置ＡからのユーザＣが選出した処理要求の要求を受け付けると、状態確認部が画像形成装置Ａが処理要求を実行していることを確認し（Ｓ１６２５）、処理要求送信制御部が画像形成装置Ａに対するユーザＣの処理要求の送信を保留する（Ｓ１６２６）。
【０１７２】
そして、画像形成装置ＢがユーザＢの処理要求を実行している際に、ユーザＣが画像形成装置ＢにユーザＣの識別情報を入力すると、画像形成装置ＢがユーザＣの識別情報を受け付け（Ｓ１６２７）、画像形成装置ＢがユーザＣの処理要求リストを処理要求管理装置に対して要求する（Ｓ１６２８）。
【０１７３】
処理要求管理装置の識別情報受信部は画像形成装置ＢからのユーザＣの処理要求リストの要求を受け付けると、リスト送信部はユーザＣの処理要求リストを画像形成装置Ｂに対して送信する（Ｓ１６２９）。
【０１７４】
画像形成装置Ｂは処理要求管理装置からのユーザＣの処理要求リストを受信すると、ユーザＣの処理要求リストを表示する（Ｓ１６３０）。そして、ユーザＣが実行する処理要求を処理要求リストから選出すると、画像形成装置ＢがユーザＣが選出した要求処理を受け付け（Ｓ１６３１）、画像形成装置ＢがユーザＣが選出した処理要求を処理要求管理装置に対して要求する（Ｓ１６３２）。
【０１７５】
処理要求管理装置の依頼受付部は画像形成装置ＢからのユーザＣが選出した処理要求の要求を受け付けると、状態確認部が画像形成装置Ｂが処理要求を実行していることを確認し（Ｓ１６３３）、処理要求送信制御部が画像形成装置Ｂに対するユーザＣの処理要求の送信を保留する（Ｓ１６３４）。
【０１７６】
そして、画像形成装置ＡがユーザＡの処理要求の実行を完了する（Ｓ１６３５）。そして、ユーザＣが画像形成装置にユーザＣの識別情報を入力すると、画像形成装置ＡがユーザＣの識別情報を受け付け（Ｓ１６３６）、画像形成装置ＡがユーザＣの処理要求を処理要求管理装置に対して要求する（Ｓ１６３７）。
【０１７７】
処理要求管理装置の識別情報受信部は画像形成装置ＡからのユーザＣの処理要求の要求を受け付けると、状態確認部が画像形成装置Ａが処理要求を実行していないことを確認し（Ｓ１６３８）、処理要求送信部がユーザＣの処理要求を画像形成装置Ａに対して送信する（Ｓ１６３９）。
【０１７８】
画像形成装置Ａは処理要求管理装置からのユーザＣの処理要求を受信すると、ユーザＣの処理要求を実行する（Ｓ１６４０）。
【０１７９】
なお、画像形成装置Ｂに対するユーザＣの処理要求の送信の保留は、画像形成装置ＢからユーザＣの識別情報を受信するまで処理要求の送信の保留を保持する動作処理、または一定時間までにユーザＣの識別情報を受信しなければ処理要求の送信の保留を削除する動作処理を適用することも可能である。
【図面の簡単な説明】
【０１８０】
【図１】実施例１の概要を説明するための図である。
【図２】画像形成装置の機能的な構成の一例を示すブロック図である。
【図３】情報処理装置が受け付けた処理要求が処理要求管理装置に保管されるまでの動作の流れの一例を示すシーケンス図である。
【図４】処理要求を実行する場合における画像形成装置および処理要求管理装置の動作の流れの一例を示すシーケンス図である。
【図５】処理要求を実行する場合における画像形成装置および処理要求管理装置の動作の流れの一例を示すシーケンス図である。
【図６】情報処理装置が受け付けた処理要求が処理要求管理装置Ａおよび処理要求管理装置Ｂに保管されるまでの動作の流れの一例を示すシーケンス図である。
【図７】処理要求を実行する場合における画像形成装置、処理要求管理装置Ａおよび処理要求管理装置Ｂの動作の流れの一例を示すシーケンス図である。
【図８】処理要求を実行する場合における画像形成装置、処理要求管理装置Ａおよび処理要求管理装置Ｂの動作の流れの一例を示すシーケンス図である。
【図９】実施例２の概要を説明するための図である。
【図１０】処理要求装置の機能的な構成の一例を示すブロック図である。
【図１１】情報処理装置が受け付けた処理要求が処理要求管理装置に保管されるまでの動作の流れの一例を示すシーケンス図である。
【図１２】処理要求を実行する場合における画像形成装置および処理要求管理装置の動作の流れの一例を示すシーケンス図である。
【図１３】処理要求を実行する場合における画像形成装置および処理要求管理装置の動作の流れの一例を示すシーケンス図である。
【図１４】情報処理装置が受け付けた処理要求が処理要求管理装置Ａおよび処理要求管理装置Ｂに保管されるまでの動作の流れの一例を示すシーケンス図である。
【図１５】処理要求を実行する場合における処理要求管理装置、画像形成装置Ａおよび画像形成装置Ｂの動作の流れの一例を示すシーケンス図である。
【図１６】処理要求を実行する場合における処理要求管理装置、画像形成装置Ａおよび画像形成装置Ｂの動作の流れの一例を示すシーケンス図である。
【図１７】処理要求を実行する場合における処理要求管理装置、画像形成装置Ａおよび画像形成装置Ｂの動作の流れの一例を示すシーケンス図である。
【符号の説明】
【０１８１】
１    画像形成装置
２    処理要求管理装置
３    情報処理装置
４    ネットワーク
５    入力部
６    表示部
７１、７２    通信部
８    識別情報受付部
９    処理要求取得部
１０    処理要求実行部
１１    制御部
１２    リスト取得部
１３    処理要求選出受付部
１４    処理要求保管部
１５    識別情報受信部
１６    状態確認部
１７    処理要求送信部
１８    処理要求送信制御部
１９    リスト送信部
２０    依頼受付部
【図１】
2008102603.tif 000003
【図２】
2008102603.tif 000004
【図３】
2008102603.tif 000005
【図４】
2008102603.tif 000006
【図５】
2008102603.tif 000007
【図６】
2008102603.tif 000008
【図７】
2008102603.tif 000009
【図８】
2008102603.tif 000010
【図９】
2008102603.tif 000011
【図１０】
2008102603.tif 000012
【図１１】
2008102603.tif 000013
【図１２】
2008102603.tif 000014
【図１３】
2008102603.tif 000015
【図１４】
2008102603.tif 000016
【図１５】
2008102603.tif 000017
【図１６】
2008102603.tif 000018
【図１７】
2008102603.tif 000019